(57)【要約】【課題】録画した放送番組を再生する際に視聴者の操作に関わらずコマーシャルメッセージを提供することができる録画再生装置、録画再生方法、及びプログラムを提供することである。【解決手段】実施形態の録画再生装置は、放送受信部と、録画部と、再生部とを持つ。放送受信部は、放送信号を受信する。録画部は、放送受信部が受信した放送信号からコンテンツデータと放送番組の再生の際に出力させる広告を示す再生時出力広告情報とを取得して記憶部に書き込む。再生部は、放送番組の再生指示を受け、再生指示による再生対象の放送番組のコンテンツデータを記憶部から読み出して出力させる際に、再生時出力広告情報により示される広告のコンテンツデータを出力させる。【選択図】図３
2016058972.tif 000002
【特許請求の範囲】
【請求項１】
放送信号を受信する放送受信部と、
前記放送受信部が受信した前記放送信号からコンテンツデータと放送番組を再生する際に出力させる広告を示す再生時出力広告情報とを取得して記憶部に書き込む録画部と、
放送番組の再生指示を受け、前記再生指示による再生対象の前記放送番組のコンテンツデータを前記記憶部から読み出して出力させる際に、前記再生時出力広告情報により示される前記広告のコンテンツデータを出力させる再生部と、
を備える録画再生装置。
【請求項２】
前記再生部は、放送番組の再生指示を受け、前記再生時出力広告情報により示される前記広告のコンテンツデータを出力させた後、前記再生指示による再生対象の前記放送番組の前記コンテンツデータを前記記憶部から読み出して再生させる、
請求項１に記載の録画再生装置。
【請求項３】
前記再生部は、再生時出力広告情報により示される前記広告のコンテンツデータを前記記憶部から読み出す、
請求項１または請求項２に記載の録画再生装置。
【請求項４】
前記再生部は、再生時出力広告情報により示される前記広告のコンテンツデータを通信により取得する、
請求項１または請求項２に記載の録画再生装置。
【請求項５】
前記再生部は、前記再生時出力広告情報により示される前記広告のコンテンツデータを、前記再生指示を受信する前に、あるいは、前記再生指示を受信した後に取得する、
請求項４に記載の録画再生装置。
【請求項６】
録画再生装置が実行する録画再生方法であって、
放送信号を受信する放送受信ステップと、
前記放送受信ステップにおいて受信した前記放送信号からコンテンツデータと放送番組の再生の際に出力させる広告を示す再生時出力広告情報とを取得して記憶部に書き込む録画ステップと、
放送番組の再生指示を受け、前記再生指示による再生対象の前記放送番組のコンテンツデータを前記記憶部から読み出して出力させる際に、前記再生時出力広告情報により示される前記広告のコンテンツデータを出力させる再生ステップと、
を有する録画再生方法。
【請求項７】
コンピュータに、
放送信号を受信する放送受信ステップと、
前記放送受信ステップにおいて受信した前記放送信号からコンテンツデータと放送番組の再生の際に出力させる広告を示す再生時出力広告情報とを取得して記憶部に書き込む録画ステップと、
放送番組の再生指示を受け、前記再生指示による再生対象の前記放送番組のコンテンツデータを前記記憶部から読み出して出力させる際に、前記再生時出力広告情報により示される前記広告のコンテンツデータを出力させる再生ステップと、
を実行させるプログラム。
【発明の詳細な説明】
【技術分野】
【０００１】
本発明の実施形態は、録画再生装置、録画再生方法、及びプログラムに関する。
【背景技術】
【０００２】
近年、タイムシフト機能を備えたテレビジョン受信機が人気である。タイムシフト機能は、テレビジョン受信機が放送番組を常に録画しておき、放送終了後、視聴者が自分の都合のよい時間に録画された放送番組を視聴できる機能である。放送番組の前後や途中にはコマーシャルメッセージ（ＣＭ）が放映され、放送番組と共に録画される。しかし、視聴者は、タイムシフト機能を利用して放送番組を視聴するときに、ＣＭを飛ばして見る場合があった。
【先行技術文献】
【特許文献】
【０００３】
【特許文献１】特開２００８−２７８０３９号公報
【特許文献２】特開２００３−６９９５０号公報
【特許文献３】特開２００１−２８５８３５号公報
【発明の概要】
【発明が解決しようとする課題】
【０００４】
本発明が解決しようとする課題は、録画した放送番組を再生する際に視聴者の操作に関わらずコマーシャルメッセージを提供することができる録画再生装置、録画再生方法、及びプログラムを提供することである。
【課題を解決するための手段】
【０００５】
実施形態の録画再生装置は、放送受信部と、録画部と、再生部とを持つ。放送受信部は、放送信号を受信する。録画部は、放送受信部が受信した放送信号からコンテンツデータと放送番組の再生の際に出力させる広告を示す再生時出力広告情報とを取得して記憶部に書き込む。再生部は、放送番組の再生指示を受け、再生指示による再生対象の放送番組のコンテンツデータを記憶部から読み出して出力させる際に、再生時出力広告情報により示される広告のコンテンツデータを出力させる。
【図面の簡単な説明】
【０００６】
【図１】実施形態の放送システムを示す構成図。
【図２】実施形態の放送装置の内部構成を示す機能ブロック図。
【図３】実施形態の録画再生装置の内部構成を示す機能ブロック図。
【図４】実施形態の録画再生装置の記憶部に記憶される放送番組の録画データを示す図。
【図５】実施形態の録画再生装置の録画処理を示すフロー図。
【図６】実施形態の録画再生装置の再生処理を示すフロー図。
【発明を実施するための形態】
【０００７】
以下、実施形態の録画再生装置、録画再生方法、及びプログラムを、図面を参照して説明する。
図１は、実施形態の放送システムを示す構成図である。同図に示すように、放送システムは、放送装置１と、録画再生装置３と、配信装置５とを備えて構成される。録画再生装置３と配信装置５は、通信ネットワーク９を介して接続される。通信ネットワーク９は、例えば、ＴＣＰ（Transmission Control Protocol）／ＩＰ（Internet Protocol）を用いたネットワークである。同図においては、放送装置１、録画再生装置３、及び配信装置５をそれぞれ１台ずつ示しているが、放送システムは各装置を複数台備え得る。
【０００８】
放送装置１は、ＡＲＩＢ（Association of Radio Industries and Broadcast）標準規格に準拠したデジタル放送の放送信号を送出する。放送装置１は、放送信号のイベントメッセージに再生時出力広告情報を設定する。再生時出力広告情報は、放送番組の再生の際に出力させるＣＭ（コマーシャルメッセージ）である再生時出力ＣＭを示す。
【０００９】
録画再生装置３は、例えば、テレビジョン受信機やコンピュータ端末、あるいは、テレビジョン受信機やコンピュータ端末に接続される装置である。放送装置１から送出された放送信号を受信し、放送コンテンツを録画する。録画の際、録画再生装置３は、放送信号から取得した放送番組やＣＭなどの放送コンテンツのコンテンツデータを含んだ録画データを記録する。録画が終了すると、録画再生装置３は、記録した録画データにメタデータを付加する。メタデータには、放送信号のイベントメッセージから取得した再生時出力広告情報が含まれる。
【００１０】
視聴者であるユーザは、録画再生装置３に放送番組の再生を指示すると、録画再生装置３は、再生が指示された録画データのメタデータを読み出す。録画再生装置３は、読み出したメタデータに設定されている再生時出力広告情報により示される再生時出力ＣＭのコンテンツデータを取得し、再生する。録画再生装置３が取得する再生時出力ＣＭのコンテンツデータは、録画した放送番組の録画時に記録したＣＭのコンテンツデータでもよく、配信装置５から配信されるＣＭのコンテンツデータであってもよい。録画再生装置３は、再生時出力ＣＭのコンテンツデータを再生した後は、通常と同様に視聴者の操作に従った録画データの再生を行う。なお、録画再生装置３は、再生時出力ＣＭは、再生が指示された放送番組の先頭以外の任意の箇所で再生するようにしてもよい。
以下では、放送コンテンツの広告であるＣＭを「放送ＣＭ」、配信装置５から通信により配信される広告を「関連ＣＭ」と記載する。
【００１１】
図２は、放送装置１の内部構成を示すブロック図であり、本実施形態と関係する機能ブロックのみを抽出して示してある。
放送装置１は、ＣＭバンク１１と、番組バンク１２と、マスタースイッチャー１３と、設定部１４と、符号化部１５と、多重化部１６とを備えて構成される。ＣＭバンク１１は、放送ＣＭの素材を記憶する。番組バンク１２は、放送番組の素材を記憶する。
【００１２】
マスタースイッチャー１３は、電子番組表に従って、ＣＭバンク１１の放送ＣＭの素材や番組バンク１２の放送番組の素材を読み出して設定部１４、及び符号化部１５に出力する。電子番組表は、時刻と、その時刻に放送する放送コンテンツを特定する情報が記述されたデータである。設定部１４は、素材に設定されている情報に基づいてＭＰＥＧ（Moving Picture Experts Group）２−ＴＳ（Transport Stream）のデータパケットを生成し、多重化部１６に出力する。放送番組の再生時に出力させるＣＭがある場合、設定部１４は、再生時出力広告情報をイベントメッセージに設定したデータパケットを生成する。再生時出力広告情報は、再生時出力する放送ＣＭのＣＭコードでもよく、再生時出力する通信ＣＭの識別情報またはＵＲＬ（Universal Resource Locator）でもよい。符号化部１５は、マスタースイッチャー１３から出力された素材をＭＰＥＧ２により符号化し、符号化されたコンテンツデータを生成する。符号化部１５は、符号化されたコンテンツデータを設定したＭＰＥＧ２−ＴＳパケットである符号化コンテンツパケットを生成し、多重化部１６に出力する。多重化部１６は、マルチプレクサ（ＭＵＸ）である。多重化部１６は、設定部１４から出力されたデータパケットと、符号化部１５から出力された符号化コンテンツパケットを多重化したＭＰＥＧ２−ＴＳを生成する。多重化部１６は、生成したＭＰＥＧ２−ＴＳを設定したデジタル放送の放送信号を出力する。
【００１３】
図３は、録画再生装置３の内部構成を示すブロック図であり、本実施形態と関係する機能ブロックのみを抽出して示してある。録画再生装置３は、放送受信部３１と、分離部３２と、制御部３３と、記憶部３４と、操作受信部３５、通信部３６と、復号部３７と、出力部３８とを備えて構成される。
【００１４】
放送受信部３１は、チューナーである。放送受信部３１は、放送信号を受信し、分離部３２に出力する。分離部３２は、デマルチプレクサである。分離部３２は、放送受信部３１から受信した放送信号を、符号化コンテンツパケットやデータパケット、他のパケットなどに分離する。
【００１５】
制御部３３は、録画部３３１と、再生部３３２とを備える。録画部３３１は、分離部３２が分離した符号化コンテンツパケットやデータパケットからなるＭＰＥＧ２−ＴＳを録画データとして記憶部３４に記録する。録画部３３１は、１つの放送コンテンツについて録画データを記憶部３４に記録し終えると、データパケットに設定されている情報に基づいてメタデータを生成し、録画データに付加する。再生部３３２は、操作受信部３５が受信した再生指示により再生が指示された録画データに付加されているメタデータを記憶部３４から読み出す。再生部３３２は、メタデータに再生時出力広告情報が設定されている場合、再生時出力広告情報により示される再生時出力ＣＭのコンテンツデータを取得し、復号部３７に出力する。再生部３３２は、再生時出力ＣＭのコンテンツデータの再生終了後、指定された録画データを通常どおり再生させる。
【００１６】
操作受信部３５は、ユーザによる操作を受ける。操作受信部３５は、ユーザによる操作を、リモートコントローラから受信してもよく、スマートフォンやタブレット端末などのユーザ端末から受信してもよい。通信部３６は、通信ネットワーク９を介して配信装置５とデータを送受信する。復号部３７は、符号化されたコンテンツデータを復号する。出力部３８は、ディスプレイやスピーカである。出力部３８は、復号部３７が復号したコンテンツデータの映像や音声を出力する。録画再生装置３がテレビジョン受信機やコンピュータ端末に接続される装置の場合、出力部３８を、テレビジョン受信機やコンピュータ端末のディスプレイやスピーカとすることができる。
【００１７】
図４は、録画再生装置３の記憶部３４に記憶される放送番組の録画データを示す図である。録画再生装置３の録画部３３１は、同図に示す録画データを記憶部３４に書き込む。録画データは、放送番組のコンテンツデータと放送ＣＭのコンテンツデータとを含む。放送ＣＭのコンテンツデータは、放送番組のコンテンツデータの前、後ろ、あるいは、途中に含まれ得る。録画部３３１は、放送番組の録画が終了すると、録画データに、放送番組の開始及び終了のマーカーと、放送ＣＭの開始及び終了のマーカーを付与する。さらに、録画部３３１は、録画データにメタデータを付与する。
【００１８】
次に、放送システムの動作について説明する。
放送装置１のマスタースイッチャー１３は、現在の時刻に対応した放送コンテンツの情報を電子番組表から取得する。マスタースイッチャー１３は、取得した放送コンテンツの情報に対応した放送番組あるいは放送ＣＭの素材をＣＭバンク１１から読み出し、設定部１４及び符号化部１５に出力する。設定部１４は、素材に含まれる情報に基づいてデータパケットを生成する。このとき、設定部１４は、再生時出力ＣＭがある場合、再生時出力ＣＭを示す再生時出力広告情報をイベントメッセージに設定したデータパケットを生成する。符号化部１５は、マスタースイッチャー１３から出力された素材をＭＰＥＧ２により符号化し、符号化されたコンテンツデータを生成する。符号化部１５は、符号化されたコンテンツデータを設定した符号化コンテンツパケットを生成し、多重化部１６に出力する。符号化コンテンツパケットには、符号化された映像データが設定されたパケットや、符号化された音声データが設定されたパケットがある。多重化部１６は、設定部１４から出力されたデータパケットと、符号化部１５から出力された符号化コンテンツパケットを多重化したＭＰＥＧ２−ＴＳを生成する。多重化部１６は、生成したＭＰＥＧ２−ＴＳを設定したデジタル放送の放送信号を出力する。
【００１９】
図５は、録画再生装置３の録画処理を示す処理フローである。録画再生装置３は、同図に示す録画処理を、ユーザに指定された放送番組について実行する。録画再生装置３がタイムシフト機能を有する場合、全チャンネルの全放送番組について、同図に示す録画処理を繰り返す。
【００２０】
録画再生装置３の放送受信部３１は、放送装置１から放送信号を受信し、分離部３２に出力する（ステップＳ１０５）。分離部３２は、放送信号を分離すると、分離したデータパケット及び符号化コンテンツパケットを制御部３３に出力する（ステップＳ１１０）。制御部３３の録画部３３１は、分離部３２から受信した符号化コンテンツパケットやデータパケットからなるＭＰＥＧ２−ＴＳを録画データとして記憶部３４に記録する（ステップＳ１１５）。制御部３３が放送番組は未終了であると判断した場合（ステップＳ１２０：ＮＯ）、録画再生装置３は、ステップＳ１０５からの処理を繰り返す。
【００２１】
そして、制御部３３が放送番組の終了を検出した場合（ステップＳ１２０：ＹＥＳ）、録画部３３１は、従来技術と同様に放送番組の開始及び終了のマーカーと、放送ＣＭの開始及び終了のマーカーを付与する（ステップＳ１２５）。録画部３３１は、データパケットに設定されていた情報に基づいてメタデータを生成し、録画データに付加する。このとき、録画部３３１は、データパケットから取得したイベントメッセージに設定されている再生時出力広告情報を、メタデータに設定する（ステップＳ１３０）。
【００２２】
図６は、録画再生装置３の再生処理を示す処理フローである。
録画再生装置３の操作受信部３５は、再生指示として再生対象の放送番組の選択操作を受ける。再生部３３２は、操作受信部３５が受信した選択操作により選択された再生対象の放送番組の録画データを特定し、特定した録画データに付加されているメタデータを記憶部３４から読み出す（ステップＳ２０５）。再生部３３２は、メタデータに再生時出力広告情報が設定されていると判断した場合（ステップＳ２１０：ＹＥＳ）、再生時出力広告情報が示す再生時出力ＣＭが通信ＣＭであるか否かを判断する（ステップＳ２１５）。
【００２３】
再生部３３２は、再生時出力広告情報がＣＭコードを示す場合、再生時出力ＣＭは放送コンテンツであると判断する（ステップＳ２１５：ＮＯ）。再生部３３２は、特定した録画データから、ＣＭコードにより特定されるＣＭのコンテンツデータをマーカーに基づいて読み出し、復号部３７に出力する（ステップＳ２２０）。一方、再生時出力広告情報がＵＲＬや通信ＣＭの識別情報を示す場合、再生部３３２は、再生時出力ＣＭは通信ＣＭであると判断する（ステップＳ２１５：ＹＥＳ）。再生部３３２は、再生時出力ＣＭがＵＲＬを示す場合、そのＵＲＬを接続先として配信装置５にアクセスするよう通信部３６に指示する。配信装置５は、アクセスに用いられたＵＲＬにより特定される通信ＣＭのコンテンツデータを録画再生装置３に配信する。あるいは、再生時出力ＣＭが通信ＣＭの識別情報を示す場合、再生部３３２は、予め決められた宛先アドレスにより配信装置５にアクセスし、通信ＣＭの識別情報を送信するよう通信部３６に指示する。配信装置５は、録画再生装置３から受信した通信ＣＭの識別情報により特定される通信ＣＭのコンテンツデータを録画再生装置３に配信する。録画再生装置３の通信部３６は、配信装置５から受信した通信ＣＭのコンテンツデータを再生部３３２に出力する（ステップＳ２２５）。
【００２４】
再生部３３２は、ステップＳ２２０において取得した放送ＣＭのコンテンツデータ、または、ステップＳ２２５において取得した通信ＣＭのコンテンツデータを、再生時出力ＣＭのコンテンツデータとして復号部３７に出力する。復号部３７は、再生時出力ＣＭのコンテンツデータを復号し、出力部３８は、復号部３７により復号された再生時出力ＣＭのコンテンツデータの映像や音声を出力する（ステップＳ２３０）。
【００２５】
再生部３３２は、ステップＳ２１０においてメタデータに再生時出力広告情報が設定されていないと判断した場合（ステップＳ２１０：ＮＯ）、あるいは、ステップＳ２３０の再生時出力ＣＭの再生の終了後、再生対象の放送番組の録画データを通常再生する。再生部３３２は、操作受信部３５が受信したユーザの操作に従って、放送ＣＭを飛ばして録画データを再生してもよい。
【００２６】
なお、再生部３３２は、再生時出力広告情報に設定されている放送ＣＭのＣＭコードを配信装置５に送信し、配信装置５は、受信したＣＭコードに対応した通信ＣＭのＵＲＬまたはコンテンツデータを録画再生装置３に送信してもよい。
【００２７】
また、配信装置５は、ＵＲＬ、通信ＣＭの識別情報、またはＣＭコードに対応して配信する通信ＣＭのコンテンツデータを、時間帯、曜日、日付等によって変えてもよい。これにより、ユーザが放送番組を視聴する時間帯や曜日、季節などによって、宣伝効果の高い関連ＣＭを提供することができる。また、放送ＣＭよりもロングバージョンのＣＭを提供することもできる。
【００２８】
なお、録画再生装置３が図５の処理を終了した後に、録画部３３１または再生部３３２が配信装置５にアクセスし、再生時出力広告情報により特定される通信ＣＭのコンテンツデータを受信し、記憶部３４に書き込んでおいてもよい。再生部３３２は、再生対象の放送番組が選択されたときに、記憶部３４から通信ＣＭのコンテンツデータを読み出して復号部３７に出力する。
【００２９】
本実施形態によれば、視聴者が録画した放送番組を再生する際に、まずはＣＭを早送りができないように視聴者に提供することができる。これにより、スポンサーとの先頭ＣＭ契約を行うことができるようになり、収入源となる可能性がある。
先頭のＣＭは、放送番組とともに放送されたＣＭとしてもよく、放送されたＣＭに関連するＣＭとすることもできる。また、関連するＣＭは、任意のＣＭとすることができる。例えば、放送されたＣＭと同じ商品のＣＭであってもよく、異なる商品のＣＭであってもよい。また、関連するＣＭは、放送されたＣＭよりも長いＣＭとすることもできる。
【００３０】
以上説明した少なくともひとつの実施形態によれば、録画再生装置が再生部を持つことにより、録画した放送番組を再生する際に、視聴者の操作に関わらず視聴者にＣＭを提供することができる。
【００３１】
上述した実施形態における放送装置１、録画再生装置３、及び配信装置５の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１…放送装置、３…録画再生装置、５…配信装置、９…通信ネットワーク、１１…ＣＭバンク、１２…番組バンク、１３…マスタースイッチャー、１４…設定部、１５…符号化部、１６…多重化部、３１…放送受信部、３２…分離部、３３…制御部、３４…記憶部、３５…操作受信部、３６…通信部、３７…復号部、３８…出力部、３３１…録画部、３３２…再生部
【図１】
2016058972.tif 000003
【図２】
2016058972.tif 000004
【図３】
2016058972.tif 000005
【図４】
2016058972.tif 000006
【図５】
2016058972.tif 000007
【図６】
2016058972.tif 000008